(57)【要約】      （修正有）【課題】暖房用熱交換器が温められている状態において涼風運転などを行っても暖房乾燥機本体からの温風の吹き出しを抑えることができる浴室暖房乾燥機を提供すること。【解決手段】暖房乾燥機本体２と、温水を生成するための熱源機３６と、暖房乾燥機本体２及び熱源機３６を作動制御するための制御手段１２８とを具備する浴室暖房乾燥機。暖房乾燥機本体２は、循環流路を通して空気を循環させる循環ファン１０と、熱源機３６からの温水を利用して空気を加温する暖房用熱交換器と、換気流路を通して空気を換気する換気ファン３４とを備える。涼風運転モードの場合、制御手段は１２８、温水往き温度検知手段８４の検知温度が第１設定往き温度以下であると循環ファン１０及び換気ファン３４を作動させて涼風運転を行い、この検知温度が第１設定往き温度を超えていると暖房乾燥機本体２の換気ファン３４を作動させて第１涼風準備運転を行う。【選択図】図４
2014105909.tif 000002
【特許請求の範囲】
【請求項１】
浴室内を暖房乾燥するための暖房乾燥機本体と、温水を生成して前記暖房乾燥機本体に供給するための熱源機と、運転モードを設定するための運転モード設定手段と、前記運転モード設定手段により設定された前記運転モードにより前記暖房乾燥機本体及び前記熱源機を作動制御するための制御手段と、を具備し、前記暖房乾燥機本体は、浴室内の空気を循環させるための循環流路と、前記循環流路に配設された循環ファンと、前記熱源機からの温水を利用して前記循環流路を流れる空気を加温するための暖房用熱交換器と、浴室内の空気を外部に排出するための換気流路と、前記換気流路に配設された換気ファンと、を備える浴室暖房乾燥機であって、
前記暖房用熱交換器に関連して、その温水往き温度を検知するための温水往き温度検知手段が設けられており、
前記運転モード設定手段により涼風運転モードを設定した場合、前記温水往き温度検知手段の検知温度が第１設定往き温度以下であると、前記制御手段は前記暖房乾燥機本体の前記循環ファン及び前記換気ファンを作動させて涼風運転を行い、前記温水往き温度検知手段の検知温度が前記第１設定往き温度を超えていると、前記制御手段は前記暖房乾燥機本体の前記換気ファンを作動させて第１涼風準備運転を行うことを特徴とする浴室暖房乾燥機。
【請求項２】
前記暖房乾燥機本体に関連して、浴室内の絶対湿度を検知するための絶対湿度検知手段が更に設けられており、
前記運転モード設定手段により涼風運転モードを設定した場合、前記温水往き温度検知手段の検知温度が前記第１設定往き温度以下で、且つ前記絶対湿度検知手段の検知湿度が第１設定絶対湿度以下であると、前記制御手段は前記暖房乾燥機本体の前記循環ファン及び前記換気ファンを作動させて前記涼風運転を行い、前記温水往き温度検知手段の検知温度が前記第１設定往き温度を超えている又は前記絶対湿度検知手段の検知湿度が第１設定絶対湿度を超えていると、前記制御手段は前記暖房乾燥機本体の前記換気ファンを作動させて前記第１涼風準備運転を行うことを特徴とする請求項１に記載の浴室暖房乾燥機。
【請求項３】
前記制御手段は、前記第１涼風準備運転が第１設定時間行われると前記暖房乾燥機本体の前記換気ファンを継続して作動させて第２涼風準備運転を行い、前記第２涼風準備運転において、前記温水往き温度検知手段の検知温度が前記第１設定往き温度より大きい第２設定往き温度以下で、且つ前記絶対湿度検知手段の検知湿度が前記第１設定絶対湿度よりも大きい第２設定絶対湿度以下になると、前記制御手段は、前記暖房乾燥機本体の前記循環ファン及び前記換気ファンを作動させて前記涼風運転を行うことを特徴とする請求項２に記載の浴室暖房乾燥機。
【請求項４】
前記運転モード設定手段に関連して、涼風準備運転表示手段が設けられており、前記第１涼風準備運転のときには、前記涼風準備運転表示手段が付勢されて前記第１涼風準備運転中であることを表示することを特徴とする請求項１又は２に記載の浴室暖房乾燥機。
【請求項５】
ミストを発生するミスト発生装置が更に設けられ、前記ミスト発生装置は、前記熱源機からの温水を利用して水を加温するためのミスト用熱交換器と、ミストを噴霧するためのミスト発生手段と、を備えており、
前記運転モード設定手段により水ミスト運転モードを設定した場合、前記温水往き温度検知手段の検知温度が前記第１設定往き温度以下であると、前記制御手段は前記暖房乾燥機本体の前記循環ファン及び前記ミスト発生装置の前記ミスト発生手段を作動させて水ミスト運転を行い、前記温水往き温度検知手段の検知温度が前記第１設定往き温度を超えていると、前記制御手段は前記暖房乾燥機本体の前記換気ファンを作動させて第１水ミスト準備運転を行うことを特徴とする請求項１に記載の浴室暖房乾燥機。
【請求項６】
前記暖房乾燥機本体に関連して、浴室内の絶対湿度を検知するための絶対湿度検知手段が更に設けられており、
前記運転モード設定手段により水ミスト運転モードを設定した場合、前記温水往き温度検知手段の検知温度が前記第１設定往き温度以下で、且つ前記絶対湿度検知手段の検知湿度が第１設定絶対湿度以下であると、前記制御手段は前記暖房乾燥機本体の前記循環ファン及び前記ミスト発生装置の前記ミスト発生手段を作動させて前記水ミスト運転を行い、前記温水往き温度検知手段の検知温度が前記第１設定往き温度を超えている又は前記絶対湿度検知手段の検知湿度が第１設定絶対湿度を超えていると、前記制御手段は前記暖房乾燥機本体の前記換気ファンを作動させて前記第１水ミスト準備運転を行うことを特徴とする請求項５に記載の浴室暖房乾燥機。
【請求項７】
前記ミスト発生装置に関連して、前記ミスト発生手段に送給する温水の温度を検知するためのミスト温水温度検知手段が設けられており、前記温水往き温度検知手段の検知温度が前記第１設定往き温度以下で、前記絶対湿度検知手段の検知湿度が第１設定絶対湿度以下で、且つ前記ミスト温水温度検知手段の検知温度が第１設定ミスト温度以下であると、前記制御手段は前記暖房乾燥機本体の前記循環ファン及び前記ミスト発生装置の前記ミスト発生手段を作動させて前記水ミスト運転を行い、前記温水往き温度検知手段の検知温度が前記第１設定往き温度を超えている、前記絶対湿度検知手段の検知湿度が第１設定絶対湿度を超えている、又は前記ミスト温水温度検知手段の検知温度が前記第１設定ミスト温度を超えていると、前記制御手段は前記暖房乾燥機本体の前記換気ファンを作動させて前記第１水ミスト準備運転を行うことを特徴とする請求項６に記載の浴室暖房乾燥機。
【請求項８】
前記制御手段は、前記第１水ミスト準備運転が第１設定時間継続して行われると前記暖房乾燥機本体の前記換気ファンを継続して作動させて第２水ミスト準備運転を行い、前記第２水ミスト準備運転において、前記温水往き温度検知手段の検知温度が前記第１設定往き温度より大きい第２設定往き温度以下で、前記絶対湿度検知手段の検知湿度が前記第１設定絶対湿度よりも大きい第２設定絶対湿度以下で、且つ前記ミスト温水温度検知手段の検知温度が前記第１設定ミスト温度より大きい第２設定ミスト温度以下になると、前記制御手段は、前記暖房乾燥機本体の前記循環ファン及び前記ミスト発生装置の前記ミスト発生手段を作動させて前記水ミスト運転を行うことを特徴とする請求項７に記載の浴室暖房乾燥機。
【発明の詳細な説明】
【技術分野】
【０００１】
本発明は、浴室内を暖房、換気などするために用いる浴室暖房乾燥機に関する。
【背景技術】
【０００２】
冬場の入浴時、暖房された居室と冷えた浴室との温度差によるヒートショックを防止するために、浴室を暖めるなどするための浴室暖房乾燥機が広く実用に供されており、近年においては、浴室をサウナ空間として利用してサウナ効果を得るミスト発生装置を備えたものも普及している。（例えば、特許文献１参照）。
【０００３】
この浴室暖房乾燥機は、浴室の天井などに取り付けられる暖房乾燥機本体と、温水を生成して暖房乾燥機本体に温水を供給する熱源機と、ミストを発生するミスト発生装置とを備え、暖房乾燥機本体は、温水を利用して空気を加熱するための暖房用熱交換器と、浴室内の空気を循環させるための循環ファンと、浴室内の空気を換気するための換気ファンとを有し、またミスト発生装置は、温水を利用して水を加熱するためのミスト用熱交換器と、ミストを発生するミスト発生ノズルとを有している。一般的なミスト発生装置では、ミスト発生ノズルとしてスプラッシュミスト発生ノズルが設けられ、また改良型のミスト発生装置では、ミスト発生ノズルとしてスプラッシュミスト発生ノズル及びマイクロミスト発生ノズルが設けられている。
【０００４】
この浴室暖房乾燥機は、浴室内を暖房する暖房運転、浴室内を換気する換気運転、浴室内を乾燥させる乾燥運転及び浴室内を涼しくする涼風運転を行うことができる。暖房運転においては、熱源機及び暖房乾燥機本体の循環ファンが作動され、乾燥運転においては、熱源機及び暖房乾燥機本体の循環ファン及び換気ファンが作動され、涼風運転においては、暖房乾燥機本体の循環ファン及び換気ファンが作動される。
【０００５】
また、ミスト発生装置を備えた浴室暖房乾燥機では、上述した暖房運転、換気運転、乾燥運転及び涼風運転に加えて、スプラッシュミストを噴霧するスプラッシュミスト運転、マイクロミストを噴霧するマイクロミスト運転及び水を噴霧する水ミスト運転を行うことができる。スプラッシュミスト運転（又はマイクロミスト運転）においては、熱源機、暖房乾燥機本体の循環ファン及びミスト発生装置のスプラッシュミスト手段（又はマイクロミスト手段）が作動され、また、水ミスト運転においては、暖房乾燥機本体の循環ファン及びミスト発生装置のスプラッシュミスト手段が作動される。
【先行技術文献】
【特許文献】
【０００６】
【特許文献１】特開２０１１−２００４３１号公報
【発明の概要】
【発明が解決しようとする課題】
【０００７】
この浴室暖房乾燥機では、暖房運転（又は乾燥運転）においては、熱源機からの温水が暖房乾燥機本体の暖房用熱交換器を通して循環され、この暖房用熱交換器にて加温された空気が浴室内に吹き出し、浴室内が温められた状態に保たれる。このような暖房運転（又は乾燥運転）の直後に涼風運転を行うと、暖房用熱交換器に温水が残っているために、暖房乾燥機本体から温風が吹き出し、涼風運転本来の涼感が得られない。
【０００８】
また、ミスト発生装置を備えた浴室暖房乾燥機では、スプラッシュミスト運転（又はマイクロミスト運転）においては、熱源機からの温水が暖房乾燥機本体の暖房用熱交換器及びミスト発生装置のミスト用熱交換器を通して循環され、暖房用熱交換器にて加温された空気が浴室内に吹き出すとともに、ミスト用熱交換器にて加温された温水がスプラッシュミスト発生ノズル（又はマイクロミスト発生ノズル）から噴出し、浴室内が高湿度の温められた状態に保たれる。このようなスプラッシュミスト運転（又はマイクロミスト運転）の直後に涼風運転を行うと、暖房用熱交換器に温水が残っているために、暖房乾燥機本体から温風が吹き出し、涼風運転本来の涼風感が得られない。また、スプラッシュミスト運転（又はマイクロミスト運転）の直後に水ミスト運転を行うと、暖房乾燥機本体から温風が吹き出して浴室内が温められ、水ミスト運転本来の水ミスト効果（所謂、スッキリ感）が体感できない。暖房運転（及び乾燥運転）の直後に水ミスト運転を行っても同様の問題が生じる。
【０００９】
本発明の目的は、暖房用熱交換器が温められている状態において涼風運転を行ったときに、涼風を体感できる環境状態になった後に涼風運転を開始し、これによって、涼風運転における不快感を抑えることができる浴室暖房乾燥機を提供することである。
【課題を解決するための手段】
【００１０】
本発明の請求項１に記載の浴室暖房乾燥機は、浴室内を暖房乾燥するための暖房乾燥機本体と、温水を生成して前記暖房乾燥機本体に供給するための熱源機と、運転モードを設定するための運転モード設定手段と、前記運転モード設定手段により設定された前記運転モードにより前記暖房乾燥機本体及び前記熱源機を作動制御するための制御手段と、を具備し、前記暖房乾燥機本体は、浴室内の空気を循環させるための循環流路と、前記循環流路に配設された循環ファンと、前記熱源機からの温水を利用して前記循環流路を流れる空気を加温するための暖房用熱交換器と、浴室内の空気を外部に排出するための換気流路と、前記換気流路に配設された換気ファンと、を備える浴室暖房乾燥機であって、
前記暖房用熱交換器に関連して、その温水往き温度を検知するための温水往き温度検知手段が設けられており、
前記運転モード設定手段により涼風運転モードを設定した場合、前記温水往き温度検知手段の検知温度が第１設定往き温度以下であると、前記制御手段は前記暖房乾燥機本体の前記循環ファン及び前記換気ファンを作動させて涼風運転を行い、前記温水往き温度検知手段の検知温度が前記第１設定往き温度を超えていると、前記制御手段は前記暖房乾燥機本体の前記換気ファンを作動させて第１涼風準備運転を行うことを特徴とする。
【００１１】
また、本発明の請求項２に記載の浴室暖房乾燥機では、前記暖房乾燥機本体に関連して、浴室内の絶対湿度を検知するための絶対湿度検知手段が更に設けられており、
前記運転モード設定手段により涼風運転モードを設定した場合、前記温水往き温度検知手段の検知温度が前記第１設定往き温度以下で、且つ前記絶対湿度検知手段の検知湿度が第１設定絶対湿度以下であると、前記制御手段は前記暖房乾燥機本体の前記循環ファン及び前記換気ファンを作動させて前記涼風運転を行い、前記温水往き温度検知手段の検知温度が前記第１設定往き温度を超えている又は前記絶対湿度検知手段の検知湿度が第１設定絶対湿度を超えていると、前記制御手段は前記暖房乾燥機本体の前記換気ファンを作動させて前記第１涼風準備運転を行うことを特徴とする。
【００１２】
また、本発明の請求項３に記載の浴室暖房乾燥機では、前記制御手段は、前記第１涼風準備運転が第１設定時間行われると前記暖房乾燥機本体の前記換気ファンを継続して作動させて第２涼風準備運転を行い、前記第２涼風準備運転において、前記温水往き温度検知手段の検知温度が前記第１設定往き温度より高い第２設定往き温度以下で、且つ前記絶対湿度検知手段の検知湿度が前記第１設定絶対湿度よりも高い第２設定絶対湿度以下になると、前記制御手段は、前記暖房乾燥機本体の前記循環ファン及び前記換気ファンを作動させて前記涼風運転を行うことを特徴とする。
【００１３】
また、本発明の請求項４に記載の浴室暖房乾燥機では、前記運転モード設定手段に関連して、涼風準備運転表示手段が設けられており、前記第１涼風準備運転のときには、前記涼風準備運転表示手段が付勢されて前記第１涼風準備運転中であることを表示することを特徴とする。
【００１４】
また、本発明の請求項５に記載の浴室暖房乾燥機では、ミストを発生するミスト発生装置が更に設けられ、前記ミスト発生装置は、前記熱源機からの温水を利用して水を加温するためのミスト用熱交換器と、ミストを噴霧するためのミスト発生手段とを備えており、
前記運転モード設定手段により水ミスト運転モードを設定した場合、前記温水往き温度検知手段の検知温度が前記第１設定往き温度以下であると、前記制御手段は前記暖房乾燥機本体の前記循環ファン及び前記ミスト発生装置の前記ミスト発生手段を作動させて水ミスト運転を行い、前記温水往き温度検知手段の検知温度が前記第１設定往き温度を超えていると、前記制御手段は前記暖房乾燥機本体の前記換気ファンを作動させて第１水ミスト準備運転を行うことを特徴とする。
【００１５】
また、本発明の請求項６に記載の浴室暖房乾燥機では、前記暖房乾燥機本体に関連して、浴室内の絶対湿度を検知するための絶対湿度検知手段が更に設けられており、
前記運転モード設定手段により水ミスト運転モードを設定した場合、前記温水往き温度検知手段の検知温度が前記第１設定往き温度以下で、且つ前記絶対湿度検知手段の検知湿度が第１設定絶対湿度以下であると、前記制御手段は前記暖房乾燥機本体の前記循環ファン及び前記ミスト発生装置の前記ミスト発生手段を作動させて前記水ミスト運転を行い、前記温水往き温度検知手段の検知温度が前記第１設定往き温度を超えている又は前記絶対湿度検知手段の検知湿度が第１設定絶対湿度を超えていると、前記制御手段は前記暖房乾燥機本体の前記換気ファンを作動させて前記第１水ミスト準備運転を行うことを特徴とする。
【００１６】
また、本発明の請求項７に記載の浴室暖房乾燥機では、前記ミスト発生装置に関連して、前記ミスト発生手段に送給する温水の温度を検知するためのミスト温水温度検知手段が設けられており、前記温水往き温度検知手段の検知温度が前記第１設定往き温度以下で、前記絶対湿度検知手段の検知湿度が第１設定絶対湿度以下で、且つ前記ミスト温水温度検知手段の検知温度が第１設定ミスト温度以下であると、前記制御手段は前記暖房乾燥機本体の前記循環ファン及び前記ミスト発生装置の前記ミスト発生手段を作動させて前記水ミスト運転を行い、前記温水往き温度検知手段の検知温度が前記第１設定往き温度を超えている、前記絶対湿度検知手段の検知湿度が第１設定絶対湿度を超えている、又は前記ミスト温水温度検知手段の検知温度が前記第１設定ミスト温度を超えていると、前記制御手段は前記暖房乾燥機本体の前記換気ファンを作動させて前記第１水ミスト準備運転を行うことを特徴とする。
【００１７】
更に、本発明の請求項８に記載の浴室暖房乾燥機では、前記制御手段は、前記第１水ミスト準備運転が第１設定時間継続して行われると前記暖房乾燥機本体の前記換気ファンを継続して作動させて第２水ミスト準備運転を行い、前記第２水ミスト準備運転において、前記温水往き温度検知手段の検知温度が前記第１設定往き温度より高い第２設定往き温度以下で、前記絶対湿度検知手段の検知湿度が前記第１設定絶対湿度よりも高い第２設定絶対湿度以下で、且つ前記ミスト温水温度検知手段の検知温度が前記第１設定ミスト温度より高い第２設定ミスト温度以下になると、前記制御手段は、前記暖房乾燥機本体の前記循環ファン及び前記ミスト発生装置の前記ミスト発生手段を作動させて前記水ミスト運転を行うことを特徴とする。
【発明の効果】
【００１８】
本発明の請求項１に記載の浴室暖房乾燥機によれば、暖房乾燥機本体の暖房用熱交換器の温水往き温度を検知するための温水往き温度検知手段が設けられ、涼風運転モードを設定した場合、この温水往き温度検知手段の検知温度に基づいて涼風運転を行うか、この涼風運転を行う前に第１涼風準備運転を行うかが選択される。温水往き温度検知手段の検知温度が第１設定往き温度（例えば、５０℃）以下であると、暖房乾燥機本体の暖房用熱交換器に残っている温水の温度がある程度低下しているとして涼風運転が行われる。この涼風運転においては、暖房乾燥機本体の循環ファン及び換気ファンが作動され、暖房乾燥機本体から涼風が吹き出し、浴室内において涼感を体感することができる。一方、この温水往き温度検知手段の検知温度が第１設定往き温度を超えていると、この暖房用熱交換器に残っている温水の温度が高く、この状態で涼風運転を行うと暖房乾燥機本体から温風が吹き出して涼感が体感できないおそれがあるとして第１涼風準備運転が行われる。この第１涼風準備運転では、暖房乾燥機本体の換気ファンが作動され、浴室内の温かい空気が換気流路を通して外部に排出され、浴室内の温度を下げて涼感が得られる環境状態にすることができる。
【００１９】
また、本発明の請求項２に記載の浴室暖房乾燥機によれば、浴室内の絶対湿度を検知するための絶対湿度検知手段が設けられ、運転モード設定手段により涼風運転モードを設定した場合、温水往き温度検知手段の検知温度及び絶対湿度検知手段の検知湿度に基づいて涼風運転を行うか、第１涼風準備運転を行うかが選択される。温水往き温度検知手段の検知温度が第１設定往き温度以下で、且つ絶対湿度検知手段の検知湿度が第１設定絶対湿度（例えば、０．０２５ｋｇ／ｋｇ）以下であると、暖房乾燥機本体の暖房用熱交換器に残存する温水の温度がある程度低下しているとともに、浴室内の湿度もある程度低下しているとして涼風運転が行われる。一方、温水往き温度検知手段の検知温度が第１設定往き温度を超えていると、上述したように涼感を体感できなくなるおそれがあり、また絶対湿度検知手段の検知湿度が第１設定絶対湿度を超えていると、浴室内の湿度が高く、暖房乾燥機本体から空気を吹き出しても浴室内の湿気のために涼感を体感できないおそれがあるとして第１涼風準備運転が行われ、浴室内の空気の換気が行われる。
【００２０】
また、本発明の請求項３に記載の浴室暖房乾燥機によれば、第１涼風準備運転が第１設定時間（例えば、５分間）行われると、涼風運転を行う環境にないとして第２涼風準備運転が行われ、浴室内の空気の換気が継続して行われる。この第２涼風準備運転においては、第１涼風準備運転よりも緩い条件でもって涼風運転への移行が判断され、温水往き温度検知手段の検知温度が第２設定往き温度（例えば、５５℃）以下で、且つ絶対湿度検知手段の検知湿度が第２設定絶対湿度（例えば、０．０３ｋｇ／ｋｇ）以下になると、涼風運転に切り換わって暖房乾燥機本体の循環ファン及び換気ファンが作動される。
【００２１】
また、本発明の請求項４に記載の浴室暖房乾燥機によれば、第１涼風準備運転のときには、涼風準備運転表示手段が付勢されるので、使用者は、この涼風準備運転表示手段の表示を見ることによって、涼風運転を操作したにもかかわらず涼感を体感できないことを容易に知ることができる。
【００２２】
また、本発明の請求項５に記載の浴室暖房乾燥機によれば、水ミスト運転モードを設定した場合、温水往き温度検知手段の検知温度に基づいて水ミスト運転を行うか、この水ミスト運転を行う前に第１水ミスト準備運転を行うかが選択される。温水往き温度検知手段の検知温度が第１設定往き温度（例えば、５０℃）以下であると、暖房乾燥機本体の暖房用熱交換器に残っている温水の温度がある程度低下しているとして水ミスト運転が行われる。この水ミスト運転においては、暖房乾燥機本体の循環ファンが作動され、またミスト発生装置のミスト発生手段から水ミストが噴出し、水ミストによるスッキリ感を体感することができる。一方、この温水往き温度検知手段の検知温度が第１設定往き温度を超えていると、この暖房用熱交換器に残っている温水の温度が高く、この状態で水ミスト運転を行っても暖房乾燥機本体から温風が吹き出して水ミストによるスッキリ感を体感できないとして第１水ミスト準備運転が行われる。この第１水ミスト準備運転では、暖房乾燥機本体の換気ファンが作動され、浴室内の温かい空気が換気流路を通して外部に排出され、浴室内の温度を下げて水ミスト効果を体感できる環境状態にすることができる。
【００２３】
また、本発明の請求項６に記載の浴室暖房乾燥機によれば、浴室内の絶対湿度を検知するための絶対湿度検知手段が設けられ、運転モード設定手段により水ミスト運転モードを設定した場合、温水往き温度検知手段の検知温度及び絶対湿度検知手段の検知湿度に基づいて水ミスト運転を行うか、第１水ミスト準備運転を行うかが選択される。温水往き温度検知手段の検知温度が第１設定往き温度以下で、且つ絶対湿度検知手段の検知湿度が第１設定絶対湿度（例えば、０．０２５ｋｇ／ｋｇ）以下であると、暖房乾燥機本体の暖房用熱交換器に残っている温水の温度がある程度低下し、また浴室内の湿度がある程度低下しているとして水ミスト運転が行われる。一方、温水往き温度検知手段の検知温度が第１設定往き温度を超えていると、上述したように水ミストによるスッキリ感が体感できないおそれがあり、また絶対湿度検知手段の検知湿度が第１設定絶対湿度を超えていると、浴室内に湿気が残っており、この湿気が温かいと水ミストによるスッキリ感が体感できないおそれがあり、このようなことから第１水ミスト準備運転が行われ、浴室内の空気の換気が行われる。
【００２４】
また、本発明の請求項７に記載の浴室暖房乾燥機によれば、ミスト発生手段に送給される温水の温度を検知するためのミスト温水温度検知手段が設けられており、このミスト温水温度検知手段の検知温度をも考慮して水ミスト運転を行うか、第１水ミスト準備運転を行うかが選択される。温水往き温度検知手段の検知温度が第１設定往き温度以下で、且つ絶対湿度検知手段の検知湿度が第１設定絶対湿度以下であるとともに、ミスト温水温度検知手段の検知温度が第１設定ミスト温度（例えば、６０℃）以下であると、ミスト発生装置のミスト発生手段から吹き出す水（又は温水）の温度もある程度低く、水ミスト運転が行われる。一方、温水往き温度検知手段の検知温度が第１設定往き温度を超えている、又は絶対湿度検知手段の検知湿度が第１設定絶対湿度を超えていると、上述したように水ミスト効果によるスッキリ間が体感できないおそれがあり、またミスト温水温度検知手段の検知温度が第１設定ミスト温度を超えていると、ミスト発生手段から温水ミストが噴出するおそれがあるとして第１水ミスト準備運転が行われる。
【００２５】
更に、本発明の請求項８に記載の浴室暖房乾燥機によれば、第１涼風準備運転が第１設定時間（例えば、５分間）行われると、水ミスト運転を行う環境状態にないとして第２水ミスト準備運転が行われ、浴室内の空気の換気が行われる。この第２水ミスト準備運転においては、第１水ミスト準備運転よりも緩い条件でもって水ミスト運転への移行が判断され、温水往き温度検知手段の検知温度が第２設定往き温度（例えば、５５℃）以下で、絶対湿度検知手段の検知湿度が第２設定絶対湿度（例えば、０．０３ｋｇ／ｋｇ）以下で、且つミスト温水温度検知手段の検知温度が第２設定ミスト温度（例えば、６５℃）になると、水ミスト運転に切り換わって暖房乾燥機本体の循環ファン及びミスト発生装置のミスト発生手段が作動される。
【図面の簡単な説明】
【００２６】
【図１】本発明に従う浴室暖房乾燥機の一実施形態を示す断面図。
【図２】浴室暖房乾燥機における温水制御系を示す図。
【図３】浴室暖房乾燥機を運転制御する操作リモコンを示す正面図。
【図４】浴室暖房乾燥機を作動制御する制御系を示すブロック図。
【図５】浴室暖房乾燥機を涼風運転するときの制御の流れを示すフローチャート。
【図６】浴室暖房乾燥機を水ミスト運転するときの制御の流れを示すフローチャート。
【図７】浴室暖房乾燥機を涼風運転するときの制御の流れの他の例を示すフローチャート。
【発明を実施するための形態】
【００２７】
以下、添付図面を参照して、本発明に従う浴室暖房乾燥機の一実施形態について説明する。図１において、図示の浴室暖房乾燥機は暖房乾燥機本体２を備え、この暖房乾燥機本体２は例えば浴室の天井に取り付けられる。この暖房乾燥機本体２内には、循環流路４及び換気流路６が設けられている。循環流路４は、暖房乾燥機本体２内において図１の右部から中間部にわたって設けられ、この循環流路４に、空気を加熱するための暖房用熱交換器８と、浴室内の空気を循環させるための循環ファン１０とが設けられている。暖房用熱交換器８は、略水平に延びる第１熱交換部１２と、略垂直に延びる第２熱交換部１４とを有し、第１熱交換部１２が循環ファン１０の下側に配設され、第２熱交換部１４が循環ファン１０の内側に配設されている。第１及び第２熱交換部１２，１４は複数本の中空パイプを有し、加熱媒体としての温水が後述する如くしてこれら中空パイプを通して流れる。
【００２８】
暖房乾燥機本体２の下面には、浴室内の空気を吸入するための吸入口１８と、浴室内に空気を吹き出すための吹出し口２０が設けられ、循環流路４の上流端部は吸入口１８に連通され、その下流端部は吹出し口２０に連通されている。この形態では、循環流路４の下流側部は仕切り板２２によって上下に仕切られ、この仕切り板２２の上側に上流路部２４が規定され、その下側に下流路部２６が規定されている。循環ファン１０が矢印１６で示す方向に回動すると、浴室内の空気は吸入口２０を通して吸入され、循環流路４を実線矢印で示すように流れ、吸入された空気の一部は上流路部２４を通して流れ、その残部が下流路部２６を通して流れ、これらの空気が合流した後吹出し口２２から浴室内に吹き出され、このようにして浴室内の空気が循環流路４（上流路部２４及び下流路部２６）を通して循環され、このように循環流路４を流れる空気は、暖房用熱交換器８を流れる温水との間で熱交換されて加温される。
【００２９】
吹出し口２０には、吹き出す空気の風向きを変えるためのルーバ２８が配設されている。ルーバ２８は揺動軸３０を中心として揺動自在に支持され、ルーバ用モータ３２（図４参照）によって揺動され、このルーバ２８によって吹出し口２０から吹き出す空気の向きが調節される。
【００３０】
また、換気流路６は、暖房乾燥機本体２内において図１の中間部から左部にわたって設けられている。暖房乾燥機本体２の側面（図１における左側面）には排気口（図示せず）が設けられ、換気流路６の上流端部が循環流路４に連通され、その下流端部が排気口に連通されている。この換気流路６には換気ファン３４が配設され、換気ファン３４が所定方向に回動すると、浴室内の空気は、吸入口１８を通して吸引されて循環流路４を流れ、その後換気流路６を破線矢印で示すように流れて排気口（図示せず）から外部に排出される。
【００３１】
図２をも参照して、この暖房乾燥機本体２に関連して熱源機３６が設けられ、この熱源機３６にて生成された加熱媒体としての温水が暖房乾燥機本体２に供給される。熱源機３６は例えばガス給湯装置から構成され、燃料用ガスを燃焼させて温水を生成するための燃焼バーナ３８及び温水を送給するための送給ポンプ４０を備えている。この熱源機４６の供給側接続部４２が温水往きライン４４を介して暖房用熱交換器８の流入側に接続され、またその戻り側接続部４６が温水戻りライン４８を介して暖房用熱交換器８の流出側に接続され、温水往きライン４６には、このライン４６を開閉するための熱動弁５０が配設されている。このように構成されているので、熱源機３６からの温水は、温水往きライン４４、暖房乾燥機本体２の暖房用熱交換器８及び温水戻りライン４８を通して循環される。
【００３２】
この浴室暖房乾燥機には、更に、ミストサウナ効果を得るためのミスト発生装置５２が設けられている。ミスト発生装置５２は、ミスト用熱交換器５４（図２参照）及びミスト発生手段５５を備え、この形態では、ミスト発生手段５５は、スプラッシュミスト発生ノズル５６及びマイクロミスト発生ノズル５８を含んでいる。ミスト用熱交換器５４は水を温めて温水とするものであり、その温水系統の流入側がミスト用温水往きライン６０を介して温水往きライン４４（具体的には、熱動弁５０の上流側）に接続され、その温水系統の流出側がミスト用温水戻りライン６２を介して温水戻りライン４８に接続され、ミスト用温水往きライン６０には、温水の流量を制御する水比例弁６１が配設されている。
【００３３】
また、ミスト用熱交換器５４の水系統の流入側は給水ライン６４を介して例えば水道管（図示せず）に接続され、その水系統の流出側は排水ライン６６を介して排水部（図示せず）に接続されている。給水ライン６４には、不純物（錆など）を除去するためのストレーナ６５が配設されているとともに、給水ライン６４を開閉する給水電磁弁６７が配設されている。また、排水ライン６６には、この排水ライン６６を開閉する排水電磁弁６９が配設されている。
【００３４】
このように構成されているので、温水往きライン４４からの温水の一部は、ミスト用温水往きライン６０、ミスト用熱交換器５４及びミスト用温水戻りライン６２を介して温水戻りライン４８に流れ、また給水ライン６４を流れる水（例えば、水道水）は、ミスト用熱交換器５４及び排水ライン６６を通して流れ、このミスト用熱交換器５４において温水系統の温水との熱交換により水系統の水が加温されて温水となる。
【００３５】
スプラッシュミスト発生ノズル５６は、スプラッシュミスト（５０〜１００μｍ程度の粒径のミスト）を噴霧させるノズルであり、暖房乾燥機本体２の吹出し口２０近傍に配設される（図１参照）。このスプラッシュミスト発生ノズル５６には、排水ライン６６（排水電磁弁６９の配設部位より上流側部位）から分岐するスプラッシュミストライン６８が接続されている。スプラッシュミストライン６８には、このライン６８を開閉するスプラッシュミスト用電磁弁７０が配設され、スプラッシュミスト発生ノズル５６及びスプラッシュミスト用電磁弁７０がミスト発生手段５５の一部を構成する。給水電磁弁６７及びスプラッシュミスト用電磁弁７０が開状態で、排水電磁弁６９が閉状態のときに、給水ライン６４からの水がスプラッシュミスト発生ノズル５６に送給され、後に詳述するように、スプラッシュミスト運転のときには、ミスト用熱交換器５４にて加温された温水がスプラッシュミスト発生ノズル５６から噴霧され、また水ミスト運転のときには、ミスト用熱交換器５４にて加温されることなく流れた水がスプラッシュミスト発生ノズル５６から噴霧される。
【００３６】
また、マイクロミスト発生ノズル５８は、マイクロミスト（スプラッシュミストよりも小さいミストであって、５〜２０μｍ程度の粒径のミスト）を噴霧させるノズルであり、暖房乾燥機本体２の循環流路４における上流路部２４内に配設されている（図１参照）。このマイクロミスト発生ノズル５８には、排水ライン６６（具体的には、スプラッシュミストライン６８の分岐部位よりも上流側部位）から分岐するマイクロミストライン７２が接続されている。このマイクロミストライン７２には、このライン７２を開閉するマイクロミスト用電磁弁７４が配設され、マイクロミスト発生ノズル５８及びマイクロミスト用電磁弁７４もミスト発生手段５５の一部を構成する。給水電磁弁６７及びマイクロミスト用電磁弁７４が開状態で、排水電磁弁６９が閉状態のときに、給水ライン６４からの水がマイクロミスト発生ノズル５８に送給され、ミスト用熱交換器５４にて加温された温水がマイクロミスト発生ノズル５８から噴霧される。
【００３７】
この形態では、マイクロミスト発生ノズル５８に関連して、更に、次の通りに構成されている。循環流路４の上流路部２４における、空気の流れ方向に見てマイクロミスト発生ノズル５８の下流側に、フィルタ７６が配設されている。このフィルタ７６は、マイクロミスト発生ノズル５８から噴霧されたミストのうち粒径の大きなミストをカットし、粒径の小さなマイクロミストのみがフィルタ７６を通過して吹出し口２０から浴室内に吹き出される。
【００３８】
また、仕切り板２２には集水部７８が設けられ、この集水部７８には下方に延びる連通路８０が設けられ、この連通路８０に電磁開閉弁８１が設けられている。循環流路４の下流路部２６には、連通路８０の下方に蒸発用熱交換器８２が配設されている。蒸発用熱交換器８２はミスト用温水戻りライン６２に設けられ、ミスト用熱交換器５４を流れた後の戻り温水が蒸発用熱交換器８２を通して温水戻りライン４８に流れる。このように構成されているので、フィルタ７６から流下した温水（又は水）は、集水部７８に集められ、連通路８０を流れて蒸発用熱交換器８２に流下し、蒸発用熱交換器８２を流れる温水からの熱によって蒸発され、かく蒸発されたミストが下流路部２６を流れる加温空気とともに吹出し口２０から浴室内に流れる。尚、この実施形態では、フィルタ７６から流下した温水（又は水）を利用するために蒸発用熱交換器８２を設けているが、この蒸発用熱交換器８２を省略し、この温水（又は水）を排水するようにしてもよい。
【００３９】
この浴室暖房乾燥機には、各種温度を検知するために、温水往き温度検知手段８４、温水戻り温度検知手段８６、ミスト温水温度検知手段８８及び浴室温度検知手段９０が設けられている。温水往き温度検知手段８４は、熱源機３６から暖房用熱交換器８に供給される温水の温度（往き温度）を検知するためのものであり、温水往きライン４４における、ミスト用温水往きライン６０との接続部位より上流側に配設されている。この温水往き温度検知手段８４は、温水往きライン４４における、ミスト用温水往きライン６０との接続部位より下流側（熱動弁５０の上流側）に配設するようにしてもよい。また、温水戻り温度検知手段８６は、暖房用熱交換器８から熱源機３６に戻る温水の温度（戻り温度）を検知するためのものであり、温水戻りライン４８における、ミスト用温水戻りライン６２との接続部位より下流側に配設されている。この温水戻り温度検知手段８６は、温水戻りライン４８における、ミスト用温水戻りライン６２との接続部位より上流側に配設するようにしてもよい。
【００４０】
また、ミスト温水温度検知手段８８は、スプラッシュミスト発生ノズル５６及びマイクロミスト発生ノズル５８に送給される温水の温度を検知するためのものであり、ミスト用熱交換器５４の下流側（この形態では、マイクロミストライン７２との接続部位とミスト用熱交換器５４との間の部位）に配設されている。また、浴室温度検知手段９０は浴室内の温度を検知するためのものであり、暖房乾燥機本体２の下面近傍に配設されている。温水往き温度検知手段８４、温水戻り温度検知手段８６、ミスト温水温度検知手段８８及び浴室温度検知手段９０からの検知信号は、後述するコントローラ９２に送給される。
【００４１】
この浴室暖房乾燥機は、図３に示す操作リモコン９３を含み、この操作リモコン９３を用いて操作運転される。操作リモコン９３は、浴室暖房乾燥機の運転モードを設定するための運転モード設定手段９４を備え、この実施形態では、この運転モード設定手段９４は、暖房運転モードを設定する暖房スイッチ９６、乾燥運転モードを設定する乾燥スイッチ９８、換気運転モードを設定する換気スイッチ１００、涼風運転モードを設定する涼風スイッチ１０２、スプラッシュミスト運転モードを設定するスプラッシュスイッチ１０４、マイクロミスト運転を設定するマイクロスイッチ１０６及び水ミスト運転モードを設定する水ミストスイッチ１０７を備えている。
【００４２】
操作リモコン９３は、更に、浴室暖房乾燥機の運転を停止させるための停止スイッチ１０８、ルーバ２８の角度位置を設定する（即ち、ルーバ２８から吹き出す空気の風向を設定する）風向スイッチ１１０、運転時間を設定するための時間設定スイッチ１１２及び浴室温度を設定するための温度設定スイッチ１１４を備えている。時間設定スイッチ１１２は、設定運転時間を所定時間（例えば、１分）ずつアップさせるためのアップスイッチ１１６と、設定運転時間を所定時間（例えば、１分）ずつダウンさせるためのダウンスイッチ１１８とから構成され、また温度設定スイッチ７８は、設定浴室温度を所定温度（例えば、１℃）ずつアップさせるためのアップスイッチ１２０と、設定浴室温度を所定温度（例えば、１℃）ずつダウンさせるためのダウンスイッチ１２２とから構成されている。
【００４３】
操作リモコン９３は、更に、表示手段１２４及び送受信手段１２６（図４参照）を含んでいる。表示手段１２４は運転モード設定手段９４により設定された運転モード、時間設定スイッチ１１２により設定された設定運転時間、温度設定スイッチ１１４により設定された設定浴室温度、更には後述する「涼風準備運転」の状態である旨（涼風準備運転表示）を表示し、涼風準備運転表示手段としても機能し、また「水ミスト準備運転」の状態である旨（水ミスト準備運転表示）を表示し、水ミスト準備運転表示手段としても機能する。尚、涼風準備運転表示手段として涼風準備運転表示ランプから構成し、水ミスト準備運転表示手段として水ミスト準備運転表示ランプから構成してもよく、或いは涼風準備運転表示ランプ及び水ミスト準備運転表示ランプを共通の準備運転表示ランプから構成してもよい。
【００４４】
また、送受信手段１２６は運転モード設定手段９４により設定された運転モード信号、時間設定スイッチ１１２により設定された設定時間信号、温度設定スイッチ１１４により設定された設定温度信号、風向スイッチ１１０により設定された設定風向信号、停止スイッチ１０８により設定された停止信号などをコントローラ９２（図４参照）に送信するとともに、コントローラ９２からの涼風準備運転信号及び水ミスト準備運転信号（後述する）を受信する。
【００４５】
この実施形態では、浴室暖房乾燥機は、図４に示すコントローラ９２によって作動制御される。図示のコントローラ９２は、例えばマイクロプロセッサから構成される制御手段１２８、往き温度判定手段１３０、ミスト温度判定手段１３２、涼風準備運転信号生成手段１３４、水ミスト準備運転信号生成手段１３６、条件緩和信号生成手段１３８、運転切換信号生成手段１４０及び異常信号生成手段１４２を含んでいる。制御手段１２８は、熱源機３６、暖房乾燥機本体２及びミスト発生装置５２を後述する如く制御し、往き温度判定手段１３０は、暖房用熱交換器８の往き温水（流入側温水）の温度（即ち、温水往き温度検知手段８４の検知温度）を後述する如く判定し、ミスト温度判定手段１３２はミスト温水（ミスト用熱交換器５４の流出側温水）の温度（即ち、ミスト温水温度検知手段８８の検知温度）を後述する如く判定し、涼風準備運転信号生成手段１３４は、涼風運転の際の往き温度判定手段１３０の判定結果に基づいて後述如く涼風準備運転信号を生成し、水ミスト準備運転信号生成手段１３６は、水ミスト運転の際に往き温度判定手段１３０及びミスト温度判定手段１３２の判定結果に基づいて後述する如く水ミスト準備運転信号を生成する。
【００４６】
また、条件緩和信号生成手段１３８は、涼風準備運転が継続したときに、また水ミスト準備運転が継続したときに後述する如く条件緩和信号を生成する。運転切換信号生成手段１４０は、涼風準備運転中に涼風運転に適した環境状態になったときに、また水ミスト準備運転中に水ミスト運転に適した環境状態になったときに後述するように条件緩和信号を生成する。また、異常信号生成手段１４２は、後述するように異常信号を生成する。
【００４７】
コントローラ９２は、更に、計時手段１４４及びメモリ手段１４６を含んでいる。計時手段１４４は後述するように時間を計時する。また、メモリ手段１４６には各種データが登録され、往き温度判定手段１３０の判定基準となる第１設定往き温度Ｔ１（例えば、５０℃前後に設定される）及び第２設定往き温度Ｔ２（第１設定往き温度Ｍ１より高い温度であって、例えば５５℃前後に設定される）、ミスト温度判定手段１３２の判定基準となる第１設定ミスト温度Ｍ１（例えば、６０℃前後に設定される）及び第２設定ミスト温度Ｍ２（第１設定ミスト温度Ｍ１よりも高い温度であって、例えば６５℃前後に設定される）、並びに涼風準備運転及び水ミスト準備運転に関する第１設定時間ｔ１（例えば、５分間程度に設定される）及び第２設定時間ｔ２（例えば、５分間程度に設定される）などが登録されている。
【００４８】
この形態では、後述するように、涼風準備運転については、第１涼風準備運転とその後に行われる第２涼風準備運転が存在し、第１涼風準備運転においては第１設定往き温度Ｔ１を基準に判定され、第２涼風準備運転においては、第１涼風準備運転のときよりも緩和された条件、即ち第２設定往き温度Ｔ２を基準に判定される。また、水ミスト準備運転については、第１水ミスト準備運転とその後に行われる第２水ミスト準備運転が存在し、第１水ミスト準備運転においては第１設定往き温度Ｔ１及び第１設定ミストＭ１を基準に判定され、第２涼風準備運転においては、第１涼風準備運転のときよりも緩和された条件、即ち第２設定往き温度Ｔ２及び第２設定ミスト温度Ｍ２を基準に判定される。
【００４９】
この浴室暖房乾燥機では、次のようにして涼風運転が行われる。主として図２、図４及び図５を参照して、涼風運転を行うには、操作リモコン９３の涼風スイッチ１０２をオン操作すればよく（ステップＳ１)、かく操作すると、表示手段１２４に涼風運転の旨の表示が行われ、後述する涼風運転が予め設定される時間行われる。尚、この運転時間を変更する場合、時間設定スイッチ１１４を入力操作すればよい。
【００５０】
このように入力操作すると、コントローラ９２の計時手段１４４が時間を計時し（ステップＳ２）、続いて暖房往き温度の検知が行われる（ステップＳ３）。この温度検知は温水往き温度検知手段８４により行われ、温水往き温度検知手段８４からの検知信号がコントローラ９２に送給され、往き温度判定手段１３０が、この検知温度Ｔが第１設定往き温度Ｔ１（例えば、５０℃）以下であるかを判定する。例えば、暖房運転（又は乾燥運転、スプラッシュミスト運転、マイクロミスト運転）の直後においては、暖房乾燥機本体２の暖房用熱交換器８に温水が残存し、循環ファン１０を作動させると暖房用熱交換器８にて熱交換された温風が吹出し口から吹き出すおそれがある。このようなことから、この温水往き温度検知手段８４の検知温度Ｔが第１設定往き温度Ｔ１を超えている（Ｔ＞Ｔ１）と、暖房乾燥機本体２から温風が吹き出すおそれがあるとしてステップＳ４からステップＳ５に進み、一方この検知温度Ｔが第１設定往き温度Ｔ１以下である（Ｔ≦Ｔ１）と、暖房乾燥機本体２から温風が吹き出すおそれがないとしてステップＳ４からステップＳ６に進み、浴室暖房乾燥機の涼風運転が開始される。
【００５１】
温水往き温度検知手段８４の検知温度が第１設定往き温度Ｔ１を超えている（Ｔ＞Ｔ１）と、往き温度判定手段１３０の判定結果に基づいて涼風準備運転信号生成手段１３４は涼風準備運転信号（この形態では、第１涼風準備運転信号）を生成し、この涼風準備運転信号に基づいて浴室暖房乾燥機が涼風準備運転（第１涼風準備運転）される（ステップＳ５）。この涼風準備運転においては、暖房乾燥機本体２の換気ファン３４が作動され、浴室内の空気は、吸入口１８から吸引された後に循環流路４及び換気流路６を通して排気口（図示せず）から外部に排出され、このようにして浴室内の換気が行われ（ステップＳ７）、浴室内の温かい空気が換気流路６を通して外部に排出される。このとき、循環流路４を流れる空気によって暖房用熱交換器８が冷却され、暖房往き温度が低下する。この準備運転信号は、コントローラ９２から操作リモコン９３に送信され、その表示手段１２４に涼風準備運転中である旨の表示が行われ、使用者はその表示を見ることによって涼風準備運転中であることを容易に知ることができる。
【００５２】
この涼風準備運転（第１涼風準備運転）中においては、温水往き温度検知手段８４による温度検知が行われ（ステップＳ８）、この検知温度Ｔが第１設定往き温度Ｔ１以下まで低下する（Ｔ≦Ｔ１）と、ステップＳ９からステップＳ１０に進み、往き温度判定手段１３０は暖房用熱交換器８の往き温度が低下して温風が吹き出すおそれがないと判定し、この判定結果に基づいて換気ファン３４が作動停止する。また、運転切換信号生成手段１４０が運転切換信号を生成し、この運転切換信号に基づいて運転の切換えが行われ（ステップＳ１１）、涼風準備運転（第１涼風準備運転）が終了して涼風運転が開始される（ステップＳ６）。尚、この運転切換信号は、操作リモコン９３に送信され、表示手段１２４における涼風準備運転の表示が消える。
【００５３】
この涼風準備運転（第１涼風準備運転）が第１設定時間ｔ１（例えば、５分）継続して行われると、ステップＳ９からステップＳ１２を経てステップＳ１３に進み、条件緩和信号生成手段１３８が条件緩和信号を生成し、この条件緩和信号に基づいて浴室暖房乾燥機の条件緩和運転（第２涼風準備運転）が行われる。この条件緩和運転においては、第１設定往き温度Ｔ１（例えば、５０℃）から第２設定往き温度Ｔ２（例えば、５５℃）に切り換えられて温度判定が行われる。
【００５４】
この条件緩和運転（第２涼風準備運転）中においては、温水往き温度検知手段８４による温度検知が行われ（ステップＳ１４）、この検知温度Ｔが第２設定往き温度Ｔ２以下まで低下する（Ｔ≦Ｔ２）と、ステップＳ１５からステップＳ１６に進み、往き温度判定手段１３０は暖房用熱交換器８の往き温度がある程度低下し且つ浴室内も換気されて涼風感が得られると判定し、この判定結果に基づいて換気ファン３４が作動停止する。また、上述したと同様に、運転切換信号生成手段１４０が運転切換信号を生成し、この運転切換信号に基づいて運転の切換えが行われ（ステップＳ１７）、条件緩和運転（第２涼風準備運転）が終了し、涼風運転が開始される（ステップＳ６）とともに、操作リモコン９３の表示手段１２４における涼風準備運転の表示が消える。
【００５５】
この条件緩和運転（第２涼風準備運転）が第２設定時間ｔ２（例えば、５分）継続して行われると、ステップＳ１５からステップＳ１８を経てステップＳ１９に進み、所定時間経過しても暖房用熱交換器８の往き温度が低下せず、浴室暖房乾燥機に何らかの異常が発生しているおそれがあるとして、異常信号生成手段１４２が異常信号を生成し（ステップＳ１９）、この異常信号に基づいて浴室暖房乾燥機の作動が停止する（即ち、換気ファン４が作動停止する）。
【００５６】
ステップＳ６において浴室暖房乾燥機の涼風運転が開始されると、暖房乾燥機本体２のルーバ用モータ３２が作動してルーバ２８が揺動し（ステップＳ２１）、循環ファン１０が作動し（ステップＳ２２）、更に換気ファン３４が作動し（ステップＳ２３）、暖房用乾燥機本体２の吸入口１８を通して吸入された空気が吹出し口２０から吹き出すとともに、浴室内の空気の一部が循環流路４及び換気流路６を通して外部に排出され、浴室が涼風感の得られる空間となる。
【００５７】
この涼風運転中に操作リモコン９３の停止スイッチ１０８をオン操作する（又は涼風運転を行う設定時間が経過する）と、ステップＳ２４からステップＳ２５に進み、ルーバ用モータ３２が作動停止し、循環ファン１０が作動停止し（ステップＳ２６）、また換気ファン３４が作動停止し（ステップＳ２７）、このようにして浴室暖房乾燥機の涼風運転が終了する（ステップＳ２８）。尚、このように終了すると、運転終了信号が操作リモコン９３に送信され、表示手段１２４における涼風運転の表示が消える。
【００５８】
この実施形態では、涼風準備運転（第１涼風準備運転）の後に条件緩和運転（第２涼風準備運転）を行っているが、この条件緩和運転を省略するようにしてもよく、この場合、涼風準備運転（第１涼風準備運転）を第１設定時間ｔ１継続して行っても暖房用熱交換器８の往き温度が第１往き温度Ｔ１を超えている（Ｔ＞Ｔ１）ときに、異常信号生成手段１４２が異常信号を生成するようになる。
【００５９】
次に、上述した浴室暖房乾燥機の水ミスト運転について説明する。主として図２、図４及び図６を参照して、水ミスト運転を行うには、操作リモコン９３の水ミストスイッチ１０７をオン操作すればよく（ステップＳ３１)、かく操作すると、表示手段１２４に水ミスト運転の表示が行われ、後述する水ミスト運転が予め設定される時間行われる。
【００６０】
このように入力操作すると、コントローラ９２の計時手段１４４が時間を計時し（ステップＳ３２）、続いて暖房往き温度の検知が行われ（ステップＳ３３)、更にミスト温度の検知が行われる（ステップＳ３４）。この往き温度検知は温水往き温度検知手段８４により行われ、またミスト温度検知はミスト温水温度検知手段８８により行われ、これら温度検知手段８４，８８からの検知信号がコントローラ９２に送給される。
【００６１】
この水ミスト運転においては、往き温度判定手段１３０は、温水往き温度検知手段８４の検知温度Ｔが第１設定往き温度Ｔ１（例えば、５０℃）以下で（Ｔ≦Ｔ１）、且つミスト温水温度検知手段８８の検知温度Ｍが第１設定ミスト温度Ｍ１以下であるかを判定する。例えば、暖房運転（又は乾燥運転、スプラッシュミスト運転、マイクロミスト運転）の直後においては、暖房乾燥機本体２の暖房用熱交換器８に温水が残存し、循環ファン１０を作動させると暖房用熱交換器８にて熱交換された温風が吹出し口から吹き出すおそれがあり、またスプラッシュミスト運転（又はマイクロミスト運転）の直後においては、ミスト発生装置５２のミスト用熱交換器５４、排水ライン６６の一部及びスプラッシュミストライン６８に温水が残留し、スプラッシュミストライン６８を通してスプラッシュミスト発生ノズル５６から温水が噴出するおそれがある。
【００６２】
このようなことから、温水往き温度検知手段８４の検知温度Ｔが第１設定往き温度Ｔ１を超えている（Ｔ＞Ｔ１）と、暖房乾燥機本体２から温風が吹き出すおそれがあるとし、またミスト温水温度検知手段８８の検知温度Ｍが第１設定ミスト温度Ｍ１を超えている（Ｍ＞Ｍ１）と、スプラッシュミスト発生ノズル５６から温水が噴出するおそれがあるとし、これらの場合、ステップＳ３５からステップＳ３６に進む。一方、温水往き温度検知手段８４の検知温度Ｔが第１設定往き温度Ｔ１以下で（Ｔ≦Ｔ１）、且つミスト温水温度検知手段８８の検知温度Ｍが第１設定ミスト温度Ｍ１以下である（Ｍ≦Ｍ１）と、暖房乾燥機本体２から温風が吹き出すおそれがなく、またスプラッシュミスト発生ノズル５６から温水が噴霧されるおそれがないとしてステップＳ３５からステップＳ３７に進み、浴室暖房乾燥機の水ミスト運転が開始される。
【００６３】
温水往き温度検知手段８４の検知温度Ｔが第１設定往き温度Ｔ１を超えている（Ｔ＞Ｔ１）と、往き温度判定手段１３０の判定結果に基づいて水ミスト準備運転信号生成手段１３６は水ミスト準備運転信号（この形態では、第１水ミスト準備運転信号）を生成し、またミスト温水温度検知手段８８の検知温度Ｍが第１設定ミスト温度Ｍ１を超えている（Ｍ＞Ｍ１）と、ミスト温度判定手段１３２の判定結果に基づいて水ミスト準備運転信号生成手段１３６は同様に水ミスト準備運転信号（この形態では、第１水ミスト準備運転信号）を生成する。そして、この水ミスト準備運転信号に基づいて浴室暖房乾燥機が水ミスト準備運転（第１水ミスト準備運転）される（ステップＳ３６）。
【００６４】
この水ミスト準備運転においては、暖房乾燥機本体２の換気ファン３４が作動され、上述したと同様にして浴室内の空気の換気が行われ（ステップＳ３８）、浴室内の空気が循環流路４及び換気流路６を通して外部に排出され、循環流路４を流れる空気によって暖房用熱交換器８が冷却され、暖房往き温度が低下する。この水ミスト準備運転信号は、操作リモコン９３に送信され、その表示手段１２４に水ミスト準備運転の表示が行われる。
【００６５】
この水ミスト準備運転（第１水ミスト準備運転）中においては、温水往き温度検知手段８４による温水往き温度の検知が行われ（ステップＳ３９）、またミスト温水温度検知手段８８によるミスト温水温度の検知が行われ（ステップＳ４０）、温水往き温度検知手段８４の検知温度Ｔが第１設定往き温度Ｔ１以下まで低下し（Ｔ≦Ｔ１）、且つミスト温水温度検知手段８８の検知温度Ｍが第１設定ミスト温度Ｍ１まで低下する（Ｍ≦Ｍ１）と、ステップＳ４１からステップＳ４２に進み、往き温度判定手段１３０は暖房用熱交換器８の往き温度が低下して温風が吹き出すおそれがないと判定し、またミスト温度判定手段１３２はミスト温度が低下してスプラッシュミスト発生ノズル５６から温水が噴出するおそれがないと判定し、これらの判定結果に基づいて換気ファン３４が作動停止する。また、運転切換信号生成手段１４０が運転切換信号を生成し、この運転切換信号に基づいて運転の切換えが行われ（ステップＳ４３）、水ミスト準備運転（第１水ミスト準備運転）が終了し、水ミスト運転が開始される（ステップＳ３７）。尚、この運転切換信号は、操作リモコン９３に送信され、表示手段１２４の水ミスト準備運転の表示が消える。
【００６６】
この水ミスト準備運転（第１水ミスト準備運転）が第１設定時間ｔ１（例えば、５分）継続して行われると、ステップＳ４１からステップＳ４４を経てステップＳ４５に進み、条件緩和信号生成手段１３８が条件緩和信号を生成し、この条件緩和信号に基づいて浴室暖房乾燥機の条件緩和運転（第２水ミスト準備運転）が行われる。この条件緩和運転においては、第１設定往き温度Ｔ１（例えば、５０℃）から第２設定往き温度Ｔ２（例えば、５５℃）に切り換えられて往き温水温度の判定が行われ、また第１設定ミスト温度Ｍ１（例えば、６０℃）から第２設定ミスト温度Ｍ２（例えば、６５℃）に切り換えられてミスト温水温度の判定が行われる。
【００６７】
この条件緩和運転（第２涼風準備運転）中においては、温水往き温度検知手段８４による往き温水温度の検知が行われ（ステップＳ４６）、またミスト温水温度検知手段８８によるミスト温水温度の検知が行われ（ステップＳ４７）、この往き温水の検知温度Ｔが第２設定往き温度Ｔ２以下まで低下し（Ｔ≦Ｔ２）、且つミスト温水の検知温度Ｍが第２設定ミスト温度Ｍ２以下まで低下する（Ｍ≦Ｍ２）と、ステップＳ４８からステップＳ４９に進み、往き温度判定手段１３０は暖房用熱交換器８の往き温度がある程度低下していると判定し、またミスト温度判定手段１３２はミスト発生手段５５のミスト温水の温度がある程度低下していると判定し、これらの判定結果に基づいて換気ファン３４が作動停止する。また、上述したと同様に、運転切換信号生成手段１４０が運転切換信号を生成し、この運転切換信号に基づいて運転の切換えが行われ（ステップＳ５０）、条件緩和運転（第２水ミスト準備運転）が終了し、水ミスト運転が開始される（ステップＳ３７）とともに、操作リモコン９３の表示手段１２４における水ミスト準備運転の表示が消える。
【００６８】
この条件緩和運転（第２水ミスト準備運転）が第２設定時間ｔ２（例えば、５分）継続して行われると、ステップＳ４８からステップＳ５１を経てステップＳ５２に進み、所定時間経過しても暖房用熱交換器８の往き温度及びミスト発生手段５５のミスト温度が低下せず、浴室暖房乾燥機に何らかの異常が発生しているおそれがあるとして、異常信号生成手段１４２が異常信号を生成し（ステップＳ５２）、この異常信号に基づいて浴室暖房乾燥機の作動が停止する（ステップＳ５３）。
【００６９】
ステップＳ３７において浴室暖房乾燥機の水ミスト運転が開始されると、暖房乾燥機本体２のルーバ用モータ３２が作動してルーバ２８が揺動し（ステップＳ５４）、また循環ファン１０が作動し（ステップＳ５５）、暖房乾燥機本体２の吸入口１８を通して吸入された空気が吹出し口２０から吹き出し、浴室内の空気が循環される。更に、ミスト発生装置５２のブザー１６２（図４参照）が作動し（ステップＳ５６）、水ミストの噴霧開始を知らせる。
【００７０】
このブザー１６２の作動後（例えば、３〜５秒後）、水ミストの噴霧が開始される。即ち、ミスト発生装置５２の給水電磁弁６７が作動し（ステップＳ５７）、スプラッシュミスト用電磁弁７０が開状態になり、給水ライン６４からの水が排水ライン６６及びスプラッシュミストライン６８を通して流れ、スプラッシュミスト発生ノズル５６から浴室内に噴霧される。従って、浴室空間が水ミストにより満たされ、水ミスト効果を体感できる環境状態となる。
【００７１】
この水ミスト運転中に操作リモコン９３の停止スイッチ１０８をオン操作する（又は水ミスト運転を行う設定時間が経過する）と、ステップＳ５９からステップＳ６０に進み、給水電磁弁６７が閉状態となって給水が終了し、またスプラッシュミスト用電磁弁７０が閉状態となって水ミストの噴霧が終了する（ステップＳ６１）。更に、ルーバ用モータ３２が作動停止し（Ｓ６２）、循環ファン１０が作動停止し（ステップＳ６３）、また換気ファン３４が作動停止し（Ｓ６４）、このようにして浴室暖房乾燥機の水ミスト運転が終了する。
【００７２】
この浴室暖房乾燥機の他の運転を概説すると、次の通りである。例えば、暖房運転においては、熱源機３６及び暖房乾燥機本体２の循環ファン１０が作動され、熱源機３６からの温水が暖房乾燥機本体２の暖房用熱交換器８を通して循環され、暖房乾燥機本体２の吹出し口２０から温風が吹き出して浴室内が温かい空気で満たされる。また、乾燥運転においては、熱源機３６並びに暖房乾燥機本体２の循環ファン１０及び換気ファン３４が作動され、暖房乾燥機本体２から加温された空気が吹き出すとともに、浴室内の空気（例えば、湿気を含んだ空気）が外部に排出され、浴室内が乾燥状態に保たれる。また、換気運転においては、暖房乾燥機本体２の換気ファン３４が作動され、浴室内の空気が外部に排出されて浴室内が換気される。更に、スプラッシュミスト運転（又はマイクロミスト運転）においては、熱源機３６、暖房乾燥機本体２の循環ファン１０及びミスト発生装置５２のスプラッシュミストに関する構成要素（又はマイクロミストに関する構成）が作動され、熱源機３６からの温水が暖房乾燥機本体２の暖房用熱交換器８及びミスト発生装置５２のミスト用熱交換器５４を通して循環され、循環ファン１０の作用によって暖房用熱交換器８にて加温された空気が吹出し口２０から吹き出すとともに、ミスト用熱交換器にて加温された温水がスプラッシュ水とライン６８（又はマイクロミストライン７２）を通して流れ、スプラッシュミスト発生ノズル５６から浴室内に噴霧され（又はマイクロミスト発生ノズル５８から循環流路４内に噴霧された後に浴室内に流れ）、浴室内が温かい空気と温水によるスプラッシュミスト（又はマイクロミスト）により満たされる。
【００７３】
この実施形態では、水ミスト準備運転（第１水ミスト準備運転）の後に条件緩和運転（第２水ミスト準備運転）を行っているが、この条件緩和運転を省略するようにしてもよく、この場合、水ミスト準備運転（第１水ミスト準備運転）を第１設定時間ｔ１継続して行っても暖房用熱交換器８の往き温度（温水往き温度検知手段８４の検知温度）が第１往き温度Ｔ１を超えている（Ｔ＞Ｔ１）、又はミスト用熱交換器５４の流出側温度（ミスト温水温度検知手段８８の検知温度）が第１設定ミスト温度Ｍ１を超えている（Ｍ＞Ｍ１）と、異常信号生成手段１４２が異常信号を生成するようになる。
【００７４】
以上、本発明に従う浴室暖房乾燥機の一実施形態について説明したが、本発明はかかる実施形態に限定されるものではなく、本発明の範囲を逸脱することなく種々の修正乃至変更が可能である。
【００７５】
例えば、上述した実施形態では、涼風運転の場合、暖房往き温度検知手段８４の検知温度Ｔと第１設定往き温度Ｔ１とを比較して涼風準備運転（第１涼風準備運転）を行うか否かを判定し、また条件緩和運転（第２涼風準備運転）において、この検知温度Ｔと第２設定往き温度Ｔ２とを比較して涼風運転に戻すか否かを判定しているが、この判定に浴室内の絶対湿度との関係を加えるようにしてもよい。この場合、暖房乾燥機本体２に浴室内の絶対湿度を検知するための浴室絶対湿度検知手段（図示せず）が設けられ、またコントローラ９２に絶対湿度判定手段（図示せず）が含まれ、メモリ手段１４６に基準となる絶対湿度、即ち第１設定絶対湿度Ｚ１（例えば、０．０２５ｋｇ・ｋｇ程度に設定される）及び第２設定絶対湿度Ｚ２（例えば、０．０３０ｋｇ／ｋｇ程度に設定されえる）が登録される。
【００７６】
この場合における涼風運転は、例えば、図７に示す通りに行われる。図７を参照して、操作リモコン９３の涼風スイッチ１０２をオン操作する（ステップＳ７１）と、コントローラ９２の計時手段１４４が時間を計時し（ステップＳ７２）、続いて暖房往き温度の検知が行われ（ステップＳ７３)、更に浴室の絶対湿度の検知が行われる（ステップＳ７４）。この温度検知は温水往き温度検知手段８４により行われ、またこの絶対湿度は浴室絶対湿度検知手段（図示せず）により行われ、温水往き温度検知手段８４及び浴室絶対湿度検知手段からの検知信号がコントローラ９２に送給される。
【００７７】
そして、往き温度判定手段１３０は、この検知温度Ｔが第１設定往き温度Ｔ１（例えば、５０℃）以下であるかを判定し、また絶対湿度判定手段（図示せず）は、この検知湿度Ｚが第１設定絶対湿度Ｚ１以下であるかを判定する。例えば、暖房運転（又は乾燥運転、スプラッシュミスト運転、マイクロミスト運転）の直後においては、上述したように暖房用熱交換器８にて熱交換された温風が吹出し口から吹き出すおそれがあり、またスプラッシュミスト運転（又はマイクロミスト運転）の直後においては、浴室内の絶対湿度が高く、このような湿度状態において循環ファン１０を作動させて浴室内の空気を循環させても涼風感が得られないおそれがある。
【００７８】
このようなことから、この温水往き温度検知手段８４の検知温度Ｔが第１設定往き温度Ｔ１を超えている（Ｔ＞Ｔ１）、又は浴室絶対湿度検知手段（図示せず）の検知湿度Ｚが第１設定絶対湿度Ｚ１を超えている（Ｚ＞Ｚ１）と、涼風運転をしても涼風感が得られないおそれがあるとしてステップＳ７５からステップＳ７６に進み、涼風準備運転（第１涼風準備運転）が行われる。一方、この検知温度Ｔが第１設定往き温度Ｔ１以下で（Ｔ≦Ｔ１）、且つ浴室絶対湿度検知手段の検知湿度Ｚが第１設定絶対湿度Ｚ１以下である（Ｚ≦Ｚ１）と、暖房乾燥機本体２から温風が吹き出すおそれがなく、また浴室内の湿気も少なく涼風感が得られるとしてステップＳ７５からステップＳ７７に進み、浴室暖房乾燥機の涼風運転が開始される。
【００７９】
涼風準備運転（第１涼風準備運転）は、上述したと同様に行われ、この涼風準備運転中においても、温水往き温度検知手段８４による温度検知が行われ（ステップＳ７９）、また浴室絶対湿度検知手段（図示せず）による湿度検知が行われる（ステップＳ８０）。そして、この検知温度Ｔが第１設定往き温度Ｔ１以下まで低下し（Ｔ≦Ｔ１）、且つこの検知湿度Ｚが第１設定絶対湿度Ｚ１以下まで低下する（Ｚ≦Ｚ１）と、ステップＳ８１からステップＳ８２に進み、往き温度判定手段１３０は、暖房用熱交換器８の往き温度が低下して温風が吹き出すおそれがないと判定し、また絶対湿度判定手段（図示せず）は、浴室内の湿度が低下して涼風感が得られる環境状態にあると判定し、これらの判定結果に基づいて換気ファン３４が作動停止する。また、運転切換信号生成手段１４０が運転切換信号を生成し、この運転切換信号に基づいて運転の切換えが行われ（ステップＳ８３）、涼風準備運転（第１涼風準備運転）が終了し、涼風運転が開始される（ステップＳ７７）。
【００８０】
この涼風準備運転（第１涼風準備運転）が第１設定時間ｔ１（例えば、５分）継続して行われると、ステップＳ８１からステップＳ８４を経てステップＳ８５に進み、上述したように浴室暖房乾燥機の条件緩和運転（第２涼風準備運転）が行われる。この条件緩和運転においては、第１設定往き温度Ｔ１（例えば、５０℃）から第２設定往き温度Ｔ２（例えば、５５℃）に切り換えられ、また第１設定絶対湿度Ｚ１（例えば、０．０２５ｋｇ／ｋｇ）から第２設定絶対湿度Ｚ２（例えば、０．０３０ｋｇ／ｋｇ）に切り換えられて温度及び絶対湿度の判定が行われる。
【００８１】
この条件緩和運転（第２涼風準備運転）中においても、温水往き温度検知手段８４による温度検知が行われ（ステップＳ８６）、また浴室絶対湿度検知手段（図示せず）による湿度検知が行われる（ステップＳ８７）。そして、この検知温度Ｔが第２設定往き温度Ｔ２以下まで低下し（Ｔ≦Ｔ２）、且つこの検知湿度Ｚが第２設定絶対湿度Ｚ２まで低下すると、ステップＳ８８からステップＳ８９に進み、往き温度判定手段１３０は暖房用熱交換器８の往き温度がある程度低下したと判定し、また絶対室判定手段（図示せず）は浴室内の絶対湿度がある程度低下したと判定し、これらの判定結果に基づいて換気ファン３４が作動停止し（ステップＳ８９）、また運転切換信号生成手段１４０により生成された運転切換信号に基づいて運転の切換えが行われ（ステップＳ９０）、条件緩和運転（第２涼風準備運転）が終了し、涼風運転が開始される（ステップＳ７７）。
【００８２】
この条件緩和運転（第２涼風準備運転）が第２設定時間ｔ２（例えば、５分）継続して行われると、ステップＳ８８からステップＳ９１を経てステップＳ９２に進み、所定時間経過しても暖房用熱交換器８の往き温度が第２設定往き温度Ｔ２を超えた状態にある、又は浴室内の絶対湿度が第２設定絶対湿度Ｚ２を超えた状態にあり、浴室暖房乾燥機に何らかの異常が発生しているおそれがあるとして、異常信号生成手段１４２が異常信号を生成し（ステップＳ９２）、浴室暖房乾燥機の作動が停止する（ステップＳ９３）。
【００８３】
ステップＳ７７において浴室暖房乾燥機の涼風運転が開始されると、ステップＳ９４〜ステップＳ１０１が遂行され、ステップＳ９４〜ステップ１０１の内容は、図５のフローチャートにおけるステップＳ２１〜ステップＳ２８と実質上同一である。
【００８４】
また、例えば、上述した実施形態では、水ミスト運転の場合、暖房往き温度検知手段８４の検知温度Ｔと第１設定往き温度Ｔ１とを比較し、且つミスト温水温度検知手段８８の検知温度Ｍと第１設定ミスト温度Ｍ１とを比較して水ミスト準備運転（第１涼風準備運転）を行うか否かを判定しているが、涼風運転の際の判定と同様に、この判定に浴室内の絶対湿度との関係を加えるようにしてもよい。この場合、温水往き温度検知手段８４の検知温度Ｔが第１設定往き温度Ｔ１以下で（Ｔ≦Ｔ１）、ミスト温水温度検知手段８８の検知温度Ｍが第１設定ミスト温度Ｍ１以下で（Ｍ≦Ｍ１）、且つ浴室絶対湿度検知手段（図示せず）の検知湿度Ｚが第１設定絶対湿度Ｚ１以下である（Ｚ≦Ｚ１）と、水ミスト運転が行われ、これらの３つの条件のうち少なくとも１つの条件が満たされないときには、水ミスト運転をしても充分な水ミスト効果を体感できないおそれがあるとして水ミスト準備運転（第１水ミスト準備運転）が行われる。
【００８５】
また、例えば、上述した実施形態では、水ミストの条件緩和運転（第２水ミスト準備運転）においては、暖房往き温度検知手段８４の検知温度Ｔと第２設定往き温度Ｔ２とを比較し、且つミスト温水温度検知手段８８の検知温度Ｍと第２設定ミスト温度Ｍ２とを比較して水ミスト運転に戻すか否かを判定しているが、涼風運転の条件緩和運転（第２涼風準備運転）の判定と同様に、この判定に浴室内の絶対湿度との関係を加えるようにしてもよい。この場合、温水往き温度検知手段８４の検知温度Ｔが第２設定往き温度Ｔ２以下で（Ｔ≦Ｔ２）、ミスト温水温度検知手段８８の検知温度Ｍが第２設定ミスト温度Ｍ２以下で（Ｍ≦Ｍ２）、且つ浴室絶対湿度検知手段（図示せず）の検知湿度Ｚが第２設定絶対湿度Ｚ２以下である（Ｚ≦Ｚ２）と、浴室内で水ミスト効果が得られるとして水ミスト運転が行われる。
【００８６】
以上、本発明に従う浴室暖房乾燥機の一実施形態について説明したが、本発明はかかる実施形態に限定されるものではなく、本発明の範囲を逸脱することなく種々の変更乃至修正が可能である。
【００８７】
例えば、上述した実施形態では、ミスト発生装置５２を備えた浴室暖房乾燥機に適用して説明したが、このような形態のものに限定されず、ミスト発生装置５２及びこれに関連する構成要素を備えていない形態のものにも同様に適用することができ、この場合、上述した涼風運転の制御のみが適用される。
【符号の説明】
【００８８】
２  暖房乾燥機本体
４  循環流路
８  暖房用熱交換器
１０  循環ファン
３４  換気ファン
３６  熱源機
４４  温水往きライン
４６  温水戻りライン
５２  ミスト発生装置
５４  ミスト用熱交換器
５５  ミスト発生手段
５６  スプラッシュミスト発生ノズル
５８  マイクロミスト発生ノズル
８４  温水往き温度検知手段
８８  ミスト温水温度検知手段
９３  操作リモコン
９２  コントローラ
２８  制御手段
１３０  往き温度判定手段
１３４  準備運転信号生成手段
１３６  ミスト温度判定手段
１３８  条件緩和信号生成手段
１４０  運転切換信号生成手段
【図１】
2014105909.tif 000003
【図２】
2014105909.tif 000004
【図３】
2014105909.tif 000005
【図４】
2014105909.tif 000006
【図５】
2014105909.tif 000007
【図６】
2014105909.tif 000008
【図７】
2014105909.tif 000009